(57)【要約】 【課題】  円筒型カットアウトのヒューズ筒を着脱する道具から持ち替えることなく、また、金属線などの強度の増強により重くしてしまうことなく、閉止蓋を安定した姿勢で挿入口に押し付けて取り付けることを可能にして、容易かつ簡易な閉止蓋の取付作業を実現する作業棒および補助具を提供すること。【解決手段】  操作棒の先端に取り付けられて円筒型カットアウト内に着脱するヒューズ筒の下部を差し込みセットするＣＦアタッチメントの保持部２４内に、そのヒューズ筒下部と同一形状に形成された下部を備えることによりセット可能に設計されているとともに、その上部６０ｂも同様にヒューズ筒下部と同一径の円柱形状に形成されて突出する円柱突起６５が配設された補助具６０を準備する。【選択図】      図１０
2007066545.tif 000002
【特許請求の範囲】
【請求項１】
円筒形状に形成された本体部の内部にヒューズ筒を内装する円筒型カットアウトに対して、該ヒューズ筒を差込可能に本体部の下部に開口する挿入口に閉止蓋を取り付ける際に使用する作業棒であって、
閉止蓋の外側に突出する円筒形状部内に密接する状態で差込可能な突出部が先端に設けられていることを特徴とする作業棒。
【請求項２】
前記突出部は、ヒューズ筒の下部と略同一の円柱形状に形成されていることを特徴とする請求項１に記載の作業棒。
【請求項３】
前記円筒型カットアウトの挿入口から本体部内に差し込んでヒューズ筒を着脱する際に該ヒューズ筒の下部を差し込んで保持させる保持部が先端に着脱可能に、あるいは、着脱不能に配設されているとともに、該保持部内に差し込んで保持させる着脱可能な補助具が別体に準備されており、
該補助具は、ヒューズ筒の下部と略同一形状に形成されて保持部に着脱可能に形成された擬似形状部が形成されているとともに、該擬似形状部の反対側に突出部が形成されていることを特徴とする請求項２に記載の作業棒。
【請求項４】
前記閉止蓋の円筒形状部内に突出部が差し込まれるように該閉止蓋を案内する案内手段を備えることを特徴とする請求項１から３のいずれかに記載の作業棒。
【請求項５】
円筒形状に形成された本体部の内部にヒューズ筒を内装する円筒型カットアウトに対して、該ヒューズ筒を差込可能に本体部の下部に開口する挿入口に閉止蓋を取り付ける際に使用する作業棒の先端に装着する補助具であって、
作業棒の先端に配置された保持部の保持穴内に差し込んで保持するヒューズ筒の下部と略同一形状に形成された擬似形状部と、閉止蓋の外側に突出する円筒形状部内に密接する状態で差込可能な突出部と、を備えており、
擬似形状部および突出部の軸心が作業棒の延長方向に一致するように形成されていることを特徴とする補助具。
【発明の詳細な説明】
【技術分野】
【０００１】
本発明は、作業棒および補助具に関し、詳しくは、円筒型カットアウトの閉止蓋を容易に取り付けることのできるものに関する。
【背景技術】
【０００２】
従来より、電柱などの高所には、商用電源から各家庭の負荷装置に電力供給するために、変圧器が設置されているとともに、負荷装置側に異常電流が流れ込まないように、ヒューズを内蔵するカットアウトが介在するように設置されている。
【０００３】
例えば、図３に示すように、このようなカットアウト３０としては、円筒形状に形成された本体部３１内にヒューズ筒３２を内装させる構造に設計されているものがある。この円筒型カットアウト３０は、ヒューズ筒３２を本体部３１の下部３２ａに開口する挿入口３３から差し込んでセットすることにより、商用電源側の電線から分岐させた電線Ｄ１を接続する電源接続部３６と、負荷装置側の電線Ｄ２を接続する負荷接続部３７との間をそのヒューズ筒３２を介して導通接続させる。
【０００４】
この円筒型カットアウト３０は、挿入口３３に閉止蓋３４を取り付けることにより閉止するように設計されており、この閉止蓋３４は、本体部３１側に一端部を固設された吊り下げ紐３８の他端部により連結されることにより、落下し紛失することが防止されているとともに、その吊り下げ紐３８を引っ張ることにより挿入口３３から簡易に離脱させることができる（例えば、特許文献１、２参照）。
【０００５】
ここで、電気の流れる電線などを取り扱う場合には、絶縁性の確保されている操作棒（作業棒）などを用いて各種の作業を行う間接活線工法が奨励されており、この円筒型カットアウト３０における作業も同様に間接活線工法を採用することが望まれている。
【０００６】
このことかから、ヒューズ筒３２は、図１に示す操作棒１０に取り付けた図２に示すＣＦアタッチメント２０に安定して保持させた状態にして、円筒型カットアウト３０の本体部３１内に着脱する作業が行われている（例えば、特許文献３参照）。
【０００７】
また、閉止蓋３４も同様に、操作棒１０の先端のＣＦアタッチメント２０に円筒形状部３４ａを差し込む状態にして、円筒型カットアウト３０の挿入口３３内に押し付けて取り付ける作業が行われている。この円筒型カットアウト３０の挿入口３３を閉止する作業の際には、その閉止蓋３４を安定して保持することができるように、操作棒１０側の先端に屈曲させた金属線部材（不図示）を取り付けたものを用いることも提案されている（例えば、特許文献４、５参照）。
【特許文献１】特開２００２−２７００８３号公報
【特許文献２】特開２００３−３０３５３７号公報
【特許文献３】特開平１０−１４４２００号公報
【特許文献４】特開平９−２８２９９８号公報
【特許文献５】特開平１１−１７０１７９号公報
【発明の開示】
【発明が解決しようとする課題】
【０００８】
しかしながら、このような従来の閉止蓋３４の取付作業にあっては、ＣＦアタッチメント２０の概略円筒形状の保持部２４の先端側開口内に閉止蓋３４の円筒形状部３４ａを差し込むにしても、そのＣＦアタッチメント２０の保持部２４は、ヒューズ筒３２の下部３２ａをセットするように設計されていることから閉止蓋３４の円筒形状部３４ａを安定して保持することができずに、その作業をスムーズに完了することができない場合がある。
【０００９】
また、文献４、５に記載のものにあっては、閉止蓋３４を金属線部材に支持させて円筒型カットアウト３０の挿入口３３に押し付けることから、その金属線部材の強度を十分に確保する必要があり、長尺な操作棒１０の先端側が重くなって取り扱い辛くなってしまう。さらに、文献５に記載のものあっては、ヒューズ筒３２をセットすることができない構造であることから、都度、ＣＦアタッチメント２０と交換したり、操作棒自体を持ち替えなければならず、作業が煩雑である。
【００１０】
そこで、本発明は、円筒型カットアウトのヒューズ筒を着脱する道具から持ち替えることなく、また、金属線などの強度の増強により重くしてしまうことなく、閉止蓋を安定した姿勢で挿入口に押し付けて取り付けることを可能にして、容易かつ簡易な閉止蓋の取付作業を実現する作業棒および補助具を提供することを目的とする。
【課題を解決するための手段】
【００１１】
上記課題を解決する作業棒の第１の発明は、円筒形状に形成された本体部の内部にヒューズ筒を内装する円筒型カットアウトに対して、該ヒューズ筒を差込可能に本体部の下部に開口する挿入口に閉止蓋を取り付ける際に使用する作業棒であって、閉止蓋の外側に突出する円筒形状部内に密接する状態で差込可能な突出部が先端に設けられていることを特徴とするものである。
【００１２】
この発明では、作業棒の先端の突出部を閉止蓋の円筒形状部内に差し込んで密接状態で支持させることができる。したがって、作業棒の先端に閉止蓋を安定した姿勢で（カットアウトの挿入口に対する姿勢が不安定にならないように）支持させることができ、作業棒で直接（力が入る部材を介して）閉止蓋をカットアウトの挿入口に押し付けることができる。
【００１３】
上記課題を解決する作業棒の第２の発明は、上記第１の発明の特定事項に加え、前記突出部は、ヒューズ筒の下部と略同一の円柱形状に形成されていることを特徴とするものである。
【００１４】
この発明では、閉止蓋の円筒形状部は、ヒューズ筒の下部を密接する嵌合状態に差し込んで一時的に保持可能に設計されており、突出部がそのヒューズ筒の下部と略同一の円柱形状に形成される。したがって、作業棒の先端の突出部を閉止蓋の円筒形状部内に密接する嵌合状態に差し込んで支持させることができ、作業棒の先端に閉止蓋をより安定した姿勢で支持させることができる。
【００１５】
上記課題を解決する作業棒の第３の発明は、上記第２の発明の特定事項に加え、前記円筒型カットアウトの挿入口から本体部内に差し込んでヒューズ筒を着脱する際に該ヒューズ筒の下部を差し込んで保持させる保持部が先端に着脱可能に、あるいは、着脱不能に配設されているとともに、該保持部内に差し込んで保持させる着脱可能な補助具が別体に準備されており、該補助具は、ヒューズ筒の下部と略同一形状に形成されて保持部に着脱可能に形成された擬似形状部が形成されているとともに、該擬似形状部の反対側に突出部が形成されていることを特徴とするものである。
【００１６】
この発明では、円筒型カットアウトの挿入口から差し込んで着脱するヒューズ筒を保持する作業棒の先端の保持部内に、そのヒューズ筒下部の擬似形状部を備えることにより同様に着脱可能に作製された補助具の反対側に突出部が形成される。したがって、その補助具を作業棒の先端に着脱することにより、ヒューズ筒と閉止蓋の双方をセットして作業することができ、同一の作業棒で円筒型カットアウトにヒューズ筒をセットした後に閉止蓋を取り付けることができる。
【００１７】
上記課題を解決する作業棒の第４の発明は、上記第１から第３のいずれかの発明の特定事項に加え、前記閉止蓋の円筒形状部内に突出部が差し込まれるように該閉止蓋を案内する案内手段を備えることを特徴とするものである。
【００１８】
この発明では、作業棒の先端の突出部が閉止蓋の円筒形状部内に差し込まれるようにその閉止蓋を案内することができる。したがって、例えば、閉止蓋が吊り下げ紐に吊り下げられている場合にも、閉止蓋の取付作業を容易に完了することができる。
【００１９】
上記課題を解決する補助具の第１の発明は、円筒形状に形成された本体部の内部にヒューズ筒を内装する円筒型カットアウトに対して、該ヒューズ筒を差込可能に本体部の下部に開口する挿入口に閉止蓋を取り付ける際に使用する作業棒の先端に装着する補助具であって、作業棒の先端に配置された保持部の保持穴内に差し込んで保持するヒューズ筒の下部と略同一形状に形成された擬似形状部と、閉止蓋の外側に突出する円筒形状部内に密接する状態で差込可能な突出部と、を備えており、擬似形状部および突出部の軸心が作業棒の延長方向に一致するように形成されていることを特徴とするものである。
【００２０】
この発明では、円筒型カットアウトの挿入口から差込可能にヒューズ筒を保持する作業棒の先端の保持部内に、そのヒューズ筒に替えて、補助具を装着してその突出部を閉止蓋の円筒形状部内に差し込んで密接する嵌合状態で支持させることができる。したがって、作業棒の先端にヒューズ筒をセットしてカットアウトの本体部内に内装する作業を行った後に、その同一の作業棒の先端に補助具をセットすることにより、閉止蓋を安定した姿勢で（カットアウトの挿入口に対する姿勢が不安定にならないように）支持して挿入口を閉止することができる。
【発明の効果】
【００２１】
このように本発明によれば、円筒型カットアウト内にヒューズ筒を内装する際に使用する作業棒の先端の突出部に閉止蓋の円筒形状部を密接・支持させて、そのカットアウトの挿入口に押し付けることができる。したがって、カットアウトの挿入口に対する姿勢が不安定にならないように閉止蓋を支持しつつその挿入口に押し付けてスムーズに取り付けることができる。この閉止蓋を密接支持する突出部を着脱可能にすることにより、円筒型カットアウト内にヒューズ筒をセットする作業棒を持ち替えることなく閉止蓋を挿入口に容易に取り付けて閉止することができる。この結果、カットアウトの挿入口への閉止蓋の取付作業を容易かつ簡易に行うことができる。
【発明を実施するための最良の形態】
【００２２】
以下、本発明の最良の実施形態を図面に基づいて説明する。図１〜図１２は本発明に係る作業棒および補助具の一実施形態を示す図である。
【００２３】
図１において、操作棒１０は、長尺に形成されて作業者が把持する棒状部１１と、この棒状部１１の先端側に配置されて各種機能具を着脱する着脱部１２と、を備えており、作業者が棒状部１１を把持して着脱部１２に装着したフックなどの機能具を、離隔位置の作業対象に接近させることにより、例えば、高所の電線などに所望の作業・操作を施す、所謂、間接活線工法を実現することができる。
【００２４】
この操作棒１０は、図２に示すＣＦアタッチメント（機能具）２０を着脱部１２に装着して組み立てた状態（作業棒の一形態）にすることにより間接活線工法を行うこともでき、このＣＦアタッチメント２０は、電柱等の高所に設置されている図３に示す円筒型カットアウト３０の本体部３１内に、ヒューズ筒３２を着脱する作業を容易かつ安全に行うことができる。
【００２５】
ここで、円筒型カットアウト３０のヒューズ筒３２は、図４に示すように、銅材などの導電性材料からなる先端部３２ｂに導通する本体部３２ｃ内の不図示のヒューズに導通接続させた導線４１が下端から引き出されて下部３２ａの導電部３２ｄにネジ４２により固定（導通接続）されており、円筒型カットアウト３０の本体部３１の下部に開口する挿入口３３から差し込んでセットされる。これにより、ヒューズ筒３２は、その円筒型カットアウト３０の電源接続部３６に先端部３２ｂを接触接続させるとともに負荷接続部３７に下部３２ａの導電部３２ｄを接触接続させることにより、その間を内装するヒューズにより電気的に接続して、商用電源側の電線から分岐させた電線Ｄ１を負荷装置側の電線Ｄ２に導通接続させることができる。この円筒型カットアウト３０の挿入口３３は、着脱可能に閉止蓋３４が取り付けられて閉止されている。
【００２６】
棒状部１１は、例えば、プラスチックなどの絶縁材料を中空の円筒形状に成形することにより絶縁性が確保されて、両端部間の中間部分に傘カバー１３、１４が取り付けられており、先端側の傘カバー１３が着脱部１２側からの水分を滴下させるとともに、基端側の傘カバー１４が先端側からの絶縁性を考慮しての安全に作業を行い得る限界位置を示して、作業する際の安全を確保している。なお、棒状部１１の作業員が把持する部分には、滑り難い材質の取り替え可能な滑り止めが施されている。
【００２７】
着脱部１２は、棒状部１１と同軸方向に突出する本体軸部１５と、この本体軸部１５の周面の互いの反対側で突起形状に立設されている一対のピン１６と、本体軸部１５の先端面から突出するように不図示の内蔵スプリングにより付勢されている突起１７と、本体軸部１５の棒状部１１側の周面に刻設されたネジ形状１８ａ（図７を参照）に螺合して上下動するグリップ１８と、が配置されている。
【００２８】
この着脱部１２に装着するＣＦアタッチメント２０は、この着脱部１２に相対回転不能かつ脱落不能に係合・係止させるように設計されたジョイント部２１を備えており、このジョイント部２１は、着脱部１２の本体軸部１５を差し込んで収装可能に基端側後端面を開口させた有底の円筒形状に形成されている本体筒部２２と、この本体筒部２２の周面部の互いの反対側に位置して概略Ｔ字形状に切り欠かれている一対のＴ字切欠部２３と、により構成されている。ここで、Ｔ字切欠部２３は、詳細には、本体筒部２２の後端面側から先端側に向う差込溝部２３ａと、この差込溝部２３ａに連続してその直交方向の両側に延在する回転溝部２３ｂと、この回転溝部２３ｂの両端部から本体筒部２２の後端面側に戻る係合溝部２３ｃと、を備えるＴ字形状に切欠・形成されている。
【００２９】
これにより、ＣＦアタッチメント２０のジョイント部２１は、操作棒１０の着脱部１２のピン１６を、本体筒部２２のＴ字切欠部２３の差込溝部２３ａ内に差し込みつつ、その着脱部１２の本体軸部１５を本体筒部２２内の奥まで差し込んだ後に、互いに相対回転させることにより、そのＴ字切欠部２３の回転溝部２３ｂの端部に突き当たるまで進入させることができる。このとき、着脱部１２の本体軸部１５は、ジョイント部２１の本体筒部２２の底面に突き当たって突起１７が沈んだ状態で相対回転した後に、その本体筒部２２内に差し込む力が解放されると、その突起１７が内蔵スプリングの弾性力により突出して本体筒部２２を押し返すことになり、そのＴ字切欠部２３の回転溝部２３ｂから係合溝部２３ｃ内に着脱部１２のピン１６が進入して相対回転不能にして離脱不能に係合させることができる。また、この操作棒１０は、着脱部１２のグリップ１８を回転させてジョイント部２１側に寄せることにより、ピン１６が係合溝部２３ｃ内から離脱して回転しないようにロックすることができ、ＣＦアタッチメント２０のジョイント部２１が操作棒１０の着脱部１２から相対回転して外れてしまうことを信頼性高く防止することができる。
【００３０】
また、ＣＦアタッチメント２０は、このジョイント部２１の反対の先端側に保持部２４が配置されており、この保持部２４は、円筒型カットアウト３０の本体部３１内に着脱するヒューズ筒３２の下部３２ａを収装可能に先端側を開口する概略円筒形状に形成されている。
【００３１】
ヒューズ筒３２の下部３２ａには、図５（ａ）に示すように、ＣＦアタッチメント２０の保持部２４の開口縁（概略円筒形状の先端側開口縁）に突き当たってそれ以上の差込を制限するフランジ形状部４３と、このフランジ形状部４３の下方で突出する係合突起４４とが形成されている。これに対して、ＣＦアタッチメント２０の保持部２４の概略円筒形状の先端側開口縁には、図５（ｂ）に示す概略リング形状のストッパリング２５が内装されており、このストッパリング２５には、ヒューズ筒３２の下部３２ａのフランジ形状部４３から係合突起４４まで間隔に相当する部分の周方向の一部が内方に畝形状に突出する係合畝２５ａと、この係合畝２５ａの一方向端部が幅広に形成されたストッパ２５ｂと、が反対側の２箇所に形成されている。
【００３２】
これにより、ＣＦアタッチメント２０は、保持部２４内にヒューズ筒３２の下部３２ａを差し込んで収装させた状態にした後に、その下部３２ａの係合突起４４がストッパ２５ｂに突き当たるまで一方向に相対回転させることにより、その係合突起４４を係合畝２５ａに離脱不能に係合させることができる。この後に、このＣＦアタッチメント２０は、そのヒューズ筒３２を円筒型カットアウト３０の本体部３１の下部に開口する挿入口３３から差し込んでセットした後に、他方向に相対回転させて係合突起４４を係合畝２５ａから離脱させることにより、その下部３２ａを解放してヒューズ筒３２を残した状態で降下させることができ、その円筒型カットアウト３０の電源接続部３６（電線Ｄ１）と負荷接続部３７（電線Ｄ２）との間をヒューズ筒３２を介して電気的に導通接続させることができる。
【００３３】
反対に、このＣＦアタッチメント２０は、閉止蓋３４を外した状態の円筒型カットアウト３０の本体部３１の挿入口３３から差し込んで保持部２４内にヒューズ筒３２の下部３２ａを収装した状態にした後に一方向に相対回転させることにより、同様に、その下部３２ａの係合突起４４を係合畝２５ａに離脱不能に係合させることができ、この後に、そのヒューズ筒３２を挿入口３３から引き出すように降下させて離脱させることにより、この円筒型カットアウト３０の電源接続部３６（電線Ｄ１）と負荷接続部３７（電線Ｄ２）との間の導通接続を遮断することができる。
【００３４】
また、円筒型カットアウト３０の本体部３１の挿入口３３を閉止する閉止蓋３４は、円筒形状部３４ａを外側（下側）に向けた姿勢でその挿入口３３に押し付けることにより、挿入口３３の外縁側の内周面の複数箇所に設置されている板バネ３５を押し広げて落下しないように保持させることができる一方、反対に下方に引かれることにより挿入口３３の外縁の板バネ３５を押し広げて離脱させることができる。この閉止蓋３４は、円筒型カットアウト３０の本体部３１に一端側を固設された吊り下げ紐３８の他端側に連結されており、その吊り下げ紐３８により落下して紛失することが防止されているとともに、その吊り下げ紐３８を引っ張ることによりその挿入口３３から容易に離脱させることができる。
【００３５】
ここで、この円筒型カットアウト３０の閉止蓋３４は、ＣＦアタッチメント２０の保持部２４のストッパリング２５内に円筒形状部３４ａを差し込んで保持させた状態にすることにより（円筒形状部３４ａを外側に向けた姿勢で）その挿入口３３に押し付けて取り付けることができ、従来には、このようにして閉止蓋３４の円筒型カットアウト３０の挿入口３３への取付作業が行われていた。また、この閉止蓋３４の円筒形状部３４ａは、ヒューズ筒３２の下部３２ａの外径と同一径の内径に形成されて、その下部３２ａを密着する嵌合状態に差し込んで保持させることができるように設計されており、例えば、円筒型カットアウト３０の本体部３１内から外した、あるいは、その本体部３１内に差し込むヒューズ筒３２の下部３２ａを一時的に保持させることができる。
【００３６】
そして、ＣＦアタッチメント２０には、図６に示す案内部（案内手段）５０が取り付けられており、この案内部５０は、ＣＦアタッチメント２０の保持部２４の下方に固設する固定部５１と、ＣＦアタッチメント２０と平行の姿勢のまま回動可能に固定部５１の側面に支持されてその保持部２４の先端よりも先端部５２ａが突出する長さに形成されている回動板５２と、この回動板５２の先端５２ａに固設されて閉止蓋３４をＣＦアタッチメント２０の挿入口３３に取付可能な姿勢に保持する保持棒５３と、を備えている。
【００３７】
案内部５０の固定部５１は、ＣＦアタッチメント２０の保持部２４の下方よりも小さめの径で開口する取付穴５１ａが形成されており、この固定部５１は、取付穴５１ａを開放可能に２分割されてネジ止め固定することによりＣＦアタッチメント２０の保持部２４の下方に固定する。また、この固定部５１の側面には、回動板５２を回動可能に軸支する回動軸５４と、取付穴５１ａを画成する組立状態に固定部５１の一方側側面を固定するネジ５５ａと、取付穴５１ａを画成する組立状態に固定部５１の他方側側面を固定するとともに回動板５２に突き当たる長さで突出してその回動を制限するネジ５５ｂと、を備えている。これにより、固定部５１は、取付穴５１ａを開放するように分解してＣＦアタッチメント２０の保持部２４の下側をその取付穴５１ａに内装するように組み立ててネジ止め固定することにより、ＣＦアタッチメント２０に取り付けることができる。
【００３８】
回動板５２は、固定部５１の回動軸５４が差し込まれて回動可能に支持されるとともに、その回動軸５４による支持位置をスライド可能に長穴形状に開口するスライド穴５２ｂを備えており、この回動軸５４による支持位置から先端部５２ａとの間の中間部５２ｃで階段状に屈曲してＣＦアタッチメント２０に先端部５２ａ側が接近するように形成されている。また、この回動板５２には、ＣＦアタッチメント２０の保持部２４から離隔する方向に回動したときにスライド穴５２ｂ内をネジ５５ｂが移動して降下することを制限するように、そのネジ５５ｂに係合する切欠部５２ｄが形成されている。
【００３９】
保持棒５３は、Ｕ字形状に形成されて、そのＵ字形状の一端部が回動板５２の先端部５２ａに固設されており、ＣＦアタッチメント２０の保持部２４の先端側上方に位置する際に、その開口縁に沿うＵ字形状の両端部間がその回動板５２の回動方向に開口する姿勢になるように固設されている。
【００４０】
これにより、案内部５０は、図７に示すように、ＣＦアタッチメント２０の保持部２４の下方に固定部５１を固定して取り付けておくことにより、その保持部２４の上方に保持棒５３が位置するように回動板５２を回動させて、その先端に保持棒５３が接近するようにスライド穴５２ｂにより降下させることができる一方、図８に示すように、ＣＦアタッチメント２０の保持部２４から離隔する方向に回動板５２を回動させて固定部５１のネジ５５ｂに切欠部５２ｄが係合する状態にすることにより、その回動板５２の先端部５２ａの保持棒５３のＵ字形状の両端間が下方に開口する状態で保持可能に設計されている。
【００４１】
したがって、この案内部５０は、ＣＦアタッチメント２０の保持部２４の上方から保持棒５３が外れる状態にして、円筒型カットアウト３０の本体部３１に閉止蓋３４を吊り下げる吊り下げ紐３８をその保持棒５３のＵ字形状内に引っ掛けることができ、この後は、そのまま引っ掛け位置をずらすことによりその保持棒５３のＵ字形状内に閉止蓋３４の円筒形状部３４ａを収装して保持する状態にすることができ、その状態のまま、回動板５２とともに閉止蓋３４を回動させつつ降下させることにより保持部２４の先端側で開口するストッパリング２５内にその閉止蓋３４の円筒形上部３４ａを差し込んで保持させることができる。すなわち、この案内部５０を用いることにより、閉止蓋３４を手に取ることなく、ＣＦアタッチメント２０の保持部２４にその閉止蓋３４の円筒形状部３４ａを差し込んで保持させることができる。
【００４２】
さらに、このＣＦアタッチメント２０には、図９に示すように、ヒューズ筒３２の下部３２ａと同一形状に形成することにより、保持部２４先端のストッパリング２５にセット可能に作製された補助具６０が準備されており、この補助具６０の下部（擬似形状部）６０ａには、ヒューズ筒３２の下部３２ａと同様に、ＣＦアタッチメント２０の保持部２４の開口縁（概略円筒形状の先端側開口縁）に突き当たってそれ以上の差込を制限するフランジ形状部６３と、このフランジ形状部６３の下方で突出する係合突起６４と、が形成されているとともに、この上部６０ｂには、ヒューズ筒３２の下部３２ａと同一径の円柱形状に形成されて保持部２４から下部６０ａと同軸で反対方向に突出するように形成された円柱突起（突出部）６５が配設されている。
【００４３】
これにより、図１０に示すように、操作棒１０の着脱部１２にＣＦアタッチメント２０を装着して円筒型カットアウト３０の本体部３１内からヒューズ筒３２を外す作業を完了した後には、そのＣＦアタッチメント２０の保持部２４のストッパリング２５内に補助具６０の下部６０ａを差し込んで収装させた状態にしてストッパ２５ｂに係合突起６４が突き当たるまで一方向に相対回転させることにより、その下部６０ａの係合突起６４をストッパリング２５内の係合畝２５ａに離脱不能に係合させることができる。この後には、図１１に示すように、この補助具６０がない場合と同様に、ＣＦアタッチメント２０の保持部２４の上方から外れた状態の案内部５０の保持棒５３のＵ字形状内に円筒型カットアウト３０の本体部３１に閉止蓋３４を吊り下げる吊り下げ紐３８を引っ掛けて、そのままその保持棒５３のＵ字形状内に閉止蓋３４の円筒形状部３４ａを収装して保持させることができ、続けて、図１２に示すように、回動板５２とともに閉止蓋３４を回動させつつ降下させることができる。
【００４４】
このとき、従来のように、ＣＦアタッチメント２０の保持部２４のストッパリング２５内に閉止蓋３４の円筒形状部３４ａを直接差し込んで保持させる場合には、専用の保持手段として設計されていないことから、隙間のある不安定な状態で差し込まれているだけであったので、閉止蓋３４を円筒型カットアウト３０の挿入口３３にスムーズに押し付けて取り付けることができなかったが、そのＣＦアタッチメント２０の保持部２４のストッパリング２５内に補助具６０をセットすることにより、ヒューズ筒３２の下部３２ａと同一形状に形成された補助具６０の上部６０ｂの円柱突起６５を、ＣＦアタッチメント２０の保持部２４の上方に突出（露出）させる状態にして、その閉止蓋３４の円筒形状部３４ａ内に密着する嵌合状態に差し込んで安定した姿勢に保持させることができる。よって、この補助具６０を準備してＣＦアタッチメント２０の保持部２４にセットするだけで、閉止蓋３４を、円筒型カットアウト３０の挿入口３３にスムーズに、また、その挿入口３３に補助具６０を介して直接（力を入れられる状態で）押し付けて失敗することなく容易に取り付けることができる。
【００４５】
このように本実施形態においては、操作棒１０の着脱部１２にＣＦアタッチメント２０を装着して円筒型カットアウト３０内にヒューズ筒３２を内装する作業を完了した後に、同一のＣＦアタッチメント２０の保持部２４に補助具６０をセットするだけで、その上部６０ｂの円柱突起６５に閉止蓋３４の円筒形状部３４ａを密接する嵌合状態で支持させることができ、その円筒型カットアウト３０の挿入口３３に閉止蓋３４を適正な姿勢で（姿勢が不安定にならないように）直接押し付けてスムーズに取り付けることができる。
【００４６】
したがって、操作棒１０を他の作業棒に持ち替えることなく、その操作棒１０の先端のＣＦアタッチメント２０に補助具６０をセットするだけで、その円筒型カットアウト３０の挿入口３３に閉止蓋３４を取り付ける閉止作業を容易かつ簡易に行うことができる。
【産業上の利用可能性】
【００４７】
これまで本発明の一実施形態について説明したが、本発明は上述の実施形態に限定されず、その技術的思想の範囲内において種々異なる形態にて実施されてよいことは言うまでもない。例えば、本実施形態では、補助具６０の下部６０ａを、ヒューズ筒３２の下部３２ａと略同一形状に作製する場合を一例に説明するが、閉止蓋３４の円筒形状部３４ａの内面と同一径の単なる円柱形状に作製してもよく、また、案内部５０を備えていない形態でも補助具６０は利用可能であることは言うまでもない。さらに、操作棒１０とＣＦアタッチメント２０と補助具６０とがそれぞれ別体に作製する場合を一例に説明するが、全てが一体になっている作業棒でもよく、また、操作棒とＣＦアタッチメントが、あるいは、ＣＦアタッチメントと補助具が一体になっている作業棒でも適用することができることは言うまでもない。
【図面の簡単な説明】
【００４８】
【図１】本発明に係る作業棒用装着具の一実施形態を取り付ける作業棒の一例である操作棒を示す図であり、その概略全体構成を示す平面図である。
【図２】その作業棒の先端に取り付ける機能具の一例であるＣＦアタッチメントを示す平面図である。
【図３】その作業棒で作業する対象物の一例である円筒型カットアウトを示す一部縦断面図である。
【図４】その作業棒の先端のＣＦアタッチメントに着脱可能なヒューズ筒の一例を示す平面図である。
【図５】そのＣＦアタッチメントとヒューズ筒の係合を説明する図であり、（ａ）はそのヒューズ筒の構成を示す斜視図、（ｂ）はそのＣＦアタッチメントの構成を示す斜視図である。
【図６】そのＣＦアタッチメントに取り付ける案内部を示す図であり、（ａ）はその回動方向の側方から見た側面図、（ｂ）はその上面図、（ｃ）はその回動軸方向から見た側面図である。
【図７】そのＣＦアタッチメントに取り付けた案内部が直立する状態を示す立面図である。
【図８】そのＣＦアタッチメントに取り付けた案内部が回動した状態を示す立面図である。
【図９】そのＣＦアタッチメントに取り付ける補助具を示す平面図である。
【図１０】そのＣＦアタッチメントに補助具を取り付けた状態を示す斜視図である。
【図１１】そのＣＦアタッチメントに取り付けた案内部に閉止蓋の吊り下げ紐を引っ掛けさせた状態を示す斜視図である。
【図１２】そのＣＦアタッチメントに取り付けた案内部により閉止蓋をＣＦアタッチメントの上方に案内させた状態を示す斜視図である。
【符号の説明】
【００４９】
１０……操作棒    １１……棒状部    １２……着脱部    １３、１４、６３……傘カバー    １５……本体軸部    １６……ピン    １７……突起    １８……グリップ    ２０……ＣＦアタッチメント    ２１……ジョイント部    ２２……本体筒部    ２３……Ｔ字切欠部    ２４……保持部    ２５……ストッパリング    ２５ａ……係合畝    ２５ｂ……ストッパ    ３０……円筒型カットアウト    ３１……本体部    ３２……ヒューズ筒    ３２ａ……下部    ３３……挿入口    ３４……閉止蓋    ３４ａ……円筒形状部    ３５……板バネ    ３６……電源接続部    ３７……負荷接続部    ３８……吊り下げ紐    ４３……フランジ形状部    ４４……係合突起    ５０……案内部    ５１……固定部    ５２……回動板    ５２ｂ……スライド穴    ５２ｄ……切欠部
５３……保持棒    ５４……回動軸    ５５ａ、５５ｂ……ネジ    ６０……補助具    ６０ａ……下部    ６０ｂ……上部    ６３……フランジ形状部    ６４……係合突起    ６５……円柱突起
【図１】
2007066545.tif 000003
【図２】
2007066545.tif 000004
【図３】
2007066545.tif 000005
【図４】
2007066545.tif 000006
【図５】
2007066545.tif 000007
【図６】
2007066545.tif 000008
【図７】
2007066545.tif 000009
【図８】
2007066545.tif 000010
【図９】
2007066545.tif 000011
【図１０】
2007066545.tif 000012
【図１１】
2007066545.tif 000013
【図１２】
2007066545.tif 000014